(57)【要約】  光ディスクに対して互換可能に情報の記録及び／又は再生を適切に行うために、２つの対物レンズ部を組み合わせて形成してなる光ピックアップ装置用の光学素子及びそれを用いた光ピックアップ装置並びに光ピックアップ装置の組立方法を提供するために、第１の対物レンズ部の傾角感度と残留３次コマ収差の関係と、第２の対物レンズ部の傾角感度と残留３次コマ収差の関係とを、相互に関連づけることで、光ピックアップ装置に組み付けた際に残留３次コマ収差を抑制して、第１の対物レンズ部と第２の対物レンズ部とにより最適な集光スポットを光情報記録媒体の情報記録面に形成できる。
2008093510.tif 000002
【特許請求の範囲】
【請求項１】
単一又は複数の光源と、第１の対物レンズ部と第２の対物レンズ部とを一体的に形成した光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっている光ピックアップ装置用の光学素子であって、
以下の条件式を満たすことを特徴とする光学素子。
０．７＜｛（δＣ１／δβ１）／（δＣ２／δβ２）｝／（Ｃ１／Ｃ２）＜１．３              （１）
但し、（δＣ１／δβ１）は、前記第１の対物レンズ部の傾角感度を表し、
（δＣ２／δβ２）は、前記第２の対物レンズ部の傾角感度を表す。Ｃ１は前記第１の対物レンズ部の残留３次コマ収差をいい、Ｃ２は前記第２の対物レンズ部の残留３次コマ収差をいう。
【請求項２】
以下の式を満たすことを特徴とする請求の範囲第１項に記載の光学素子。
０．９＜｛（δＣ１／δβ１）／（δＣ２／δβ２）｝／（Ｃ１／Ｃ２）＜１．１  （１’）
【請求項３】
以下の式を満たすことを特徴とする請求の範囲第１項に記載の光学素子。
０．９５＜｛（δＣ１／δβ１）／（δＣ２／δβ２）｝／（Ｃ１／Ｃ２）＜１．０５          （１”）
【請求項４】
以下の式を満たすことを特徴とする請求の範囲第１項〜第３項のいずれか一項に記載の光学素子。
０．９  ＜  ｛（δＣ１／δβ１）／（δＣ２／δβ２）｝／  ｛（δＣ１／δＳ１）／（δＣ２／δＳ２）｝  ＜  １．１                          （２）
但し、（δＣ１／δＳ１）は、前記第１の対物レンズ部の面シフト誤差感度を表し、（δＣ２／δＳ２）は、前記第２の対物レンズ部の面シフト誤差感度を表す。
【請求項５】
以下の式を満たすことを特徴とする請求の範囲第４項に記載の光学素子。
０．９５  ＜  ｛（δＣ１／δβ１）／（δＣ２／δβ２）｝／  ｛（δＣ１／δＳ１）／（δＣ２／δＳ２）｝  ＜  １．０５                      （２’）
【請求項６】
前記第１の対物レンズ部の残留３次コマ収差の向きと、前記第２の対物レンズ部の残留３次コマ収差の向きとの差は９０度以内であることを特徴とする請求の範囲第１項〜第５項のいずれか一項に記載の光学素子。
【請求項７】
前記第１の対物レンズ部の残留３次コマ収差の向きと、前記第２の対物レンズ部の残留３次コマ収差の向きとが略同一であることを特徴とする請求の範囲第１項〜第５項のいずれか一項に記載の光学素子。
【請求項８】
前記第１の対物レンズ部の残留３次コマ収差の向きと、前記第２の対物レンズ部の残留３次コマ収差の向きが、前記光学素子を光軸方向から見た際に、前記第１の対物レンズ部の光軸と前記第２の対物レンズ部の光軸とを結んだ線に直交する方向であることを特徴とする請求の範囲第７項に記載の光学素子。
【請求項９】
前記第１の対物レンズ部の残留３次コマ収差と、前記第２の対物レンズ部の残留３次コマ収差とは、共に０．０５ＷＦＥλｒｍｓ以下であることを特徴とする請求の範囲第１項〜第８項のいずれか一項に記載の光学素子。
【請求項１０】
前記第１の対物レンズ部の有効径と、前記第２の対物レンズ部の有効径とは略等しいことを特徴とする請求の範囲第１項〜第９項のいずれか一項に記載の光学素子。
【請求項１１】
単一又は複数の光源と、請求の範囲第１項〜第１０項のいずれか一項に記載された光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっていることを特徴とする光ピックアップ装置。
【請求項１２】
前記第１の対物レンズ部の残留３次コマ収差の向きと、前記第２の対物レンズ部の残留３次コマ収差の向きとの略中間の方向に、前記光学素子を傾けることによって残留３次コマ収差を補正していることを特徴とする請求の範囲第１１項に記載の光ピックアップ装置。
【請求項１３】
前記第１の対物レンズ部の残留３次コマ収差の向きと、前記第２の対物レンズ部の残留３次コマ収差の向きとが略同一であり、前記第１の対物レンズ部の残留３次コマ収差の向きに、前記光学素子を傾けることによって残留３次コマ収差を補正していることを特徴とする請求の範囲第１１項に記載の光ピックアップ装置。
【請求項１４】
単一又は複数の光源と、第１の対物レンズ部と第２の対物レンズ部とを一体的に形成した光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっている光ピックアップ装置の組立方法において、
以下の条件式を満たす光学素子を、前記第１の対物レンズ部と前記第２の対物レンズ部の残留３次コマ収差が、それぞれ所定値以内になるように、前記光源から照射される光束の中心軸に対して傾けて配置することを特徴とする光ピックアップ装置の組立方法。
０．７＜｛（δＣ１／δβ１）／（δＣ２／δβ２）｝／（Ｃ１／Ｃ２）＜１．３              （１）
但し、（δＣ１／δβ１）は、前記第１の対物レンズ部の傾角感度を表し、（δＣ２／δβ２）は、前記第２の対物レンズ部の傾角感度を表す。Ｃ１は前記第１の対物レンズ部の残留３次コマ収差をいい、Ｃ２は前記第２の対物レンズ部の残留３次コマ収差をいう。
【請求項１５】
単一又は複数の光源と、第１の対物レンズ部と第２の対物レンズ部とを一体的に形成した光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっている光ピックアップ装置用の光学素子であって、
以下の条件式を満たすことを特徴とする光学素子。
０．７＜｛（δＣ１／δβ１）／（δＣ２／δβ２）｝／（ＣＹ１／ＣＹ２）＜１．３              （１’’’）
但し、（δＣ１／δβ１）は、前記第１の対物レンズ部の傾角感度を表し、（δＣ２／δβ２）は、前記第２の対物レンズ部の傾角感度を表す。ＣＹ１は前記第１の対物レンズ部の残留３次コマ収差における所定の方向での残留３次コマ収差の成分をいい、ＣＹ２は前記第２の対物レンズ部の残留３次コマ収差における所定の方向での残留３次コマ収差の成分をいう。
【請求項１６】
前記所定の方向が、前記光学素子を光軸方向から見た際に、前記第１の対物レンズ部の光軸と前記第２の対物レンズ部の光軸とを結んだ線に平行な方向か、前記第１の対物レンズ部の光軸と前記第２の対物レンズ部の光軸とを結んだ線に直交する方向であることを特徴とする請求の範囲第１５項に記載の光学素子。
【請求項１７】
前記所定の方向が、前記光学素子を光軸方向から見た際に、前記第１の対物レンズ部の光軸と前記第２の対物レンズ部の光軸とを結んだ線に直交する方向であることを特徴とする請求の範囲第１６項に記載の光学素子。
【請求項１８】
単一又は複数の光源と、請求の範囲第１５項に記載された光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっていることを特徴とする光ピックアップ装置。
【請求項１９】
前記所定の方向に、前記光学素子を傾けることによって残留３次コマ収差を補正していることを特徴とする請求の範囲第１８項に記載の光ピックアップ装置。
【請求項２０】
単一又は複数の光源と、第１の対物レンズ部と第２の対物レンズ部とを一体的に形成した光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっている光ピックアップ装置用の光学素子であって、
以下の条件式を満たすことを特徴とする光学素子。
０．９  ＜  ｛（δＣ１／δβ１）／（δＣ２／δβ２）｝／  ｛（δＣ１／δＳ１）／（δＣ２／δＳ２）｝  ＜  １．１        （２）
但し、（δＣ１／δβ１）は、前記第１の対物レンズ部の傾角感度を表し、（δＣ２／δβ２）は、前記第２の対物レンズ部の傾角感度を表す。（δＣ１／δＳ１）は、前記第１の対物レンズ部の面シフト誤差感度を表し、（δＣ２／δＳ２）は、前記第２の対物レンズ部の面シフト誤差感度を表す。
【請求項２１】
単一又は複数の光源と、請求の範囲第２０項に記載された光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっていることを特徴とする光ピックアップ装置。
【請求項２２】
前記第１の対物レンズ部と前記第２の対物レンズ部が融合して形成されていることを特徴とする請求の範囲第１項〜第１０項、第１５項〜第１７項及び第２０項のいずれか一項に記載の光学素子。
【請求項２３】
前記光学素子は、前記第１の対物レンズ部と前記第２の対物レンズ部が融合して形成されていることを特徴とする請求の範囲第１１項〜第１３項、第１８項、第１９項及び第２１項のいずれか一項に記載の光ピックアップ装置。
【請求項２４】
前記光学素子は、前記第１の対物レンズ部と前記第２の対物レンズ部が融合して形成されていることを特徴とする請求の範囲第１４項に記載の光ピックアップ装置の組立方法。
【発明の詳細な説明】
【技術分野】
【０００１】
本発明は、異なる種類の光情報記録媒体（光ディスクともいう）に対して互換可能に情報の記録及び／又は再生を行える光ピックアップ装置用の光学素子及びそれを用いた光ピックアップ装置並びに光ピックアップ装置の組立方法に関する。 
【背景技術】
【０００２】
近年、波長４００ｎｍ程度の青紫色半導体レーザを用いて、情報の記録及び／又は再生を行える高密度光ディスクシステムの研究・開発が急速に進んでいる。一例として、ＮＡ０．６５、光源波長４０５ｎｍの仕様で情報記録及び／又は再生を行う光ディスク、いわゆるＨＤ  ＤＶＤ（以下、ＨＤという）では、直径１２ｃｍの光ディスクに対して、１層あたり１５〜２０ＧＢの情報の記録が可能である。また、別の例として、ＮＡ０．８５、光源波長４０５ｎｍの仕様で情報記録及び／又は再生を行う光ディスク、いわゆるＢｌｕ−ｒａｙ  Ｄｉｓｃ（以下、ＢＤという）では、直径１２ｃｍの光ディスクに対して、１層あたり１５〜２５ＧＢの情報の記録が可能である。以下、本明細書では、このような光ディスクを「高密度光ディスク」と呼ぶ。【０００３】
また、現在において、多種多様な情報を記録したＤＶＤやＣＤ（コンパクトディスク）が販売されている現実をふまえると、一台のプレーヤーで可能な限り様々なタイプの光ディスクに対して適切に情報の記録及び／又は再生ができるようにすることが望まれている。更に、光ピックアップ装置がノート型パソコン等に搭載されることが多い実情をふまえると、複数種の光ディスクに対する互換性を有するのみでは足らず、そのコンパクト化を実現する事が重要である。【０００４】
ここで、光ピックアップ装置において、単一の対物レンズを用いて異なる光ディスクの互換使用が可能になれば、コンパクト化を実現する上で好ましいと言える。ところが、高密度光ディスクの仕様を考慮すると、対物レンズの共通化を図ることは技術的に難易度が高く、コストアップになる可能性がある。特に、ＢＤとＨＤとでは、保護基板厚が異なるにも関わらず、同じ波長の光束を使用するので、回折構造を用いて収差補正を行うことができず、対物レンズの共通化が難しいという実情がある。【０００５】
また、コンパクト化のためにＤＶＤ／ＣＤ互換レンズは既に実用化されているものの、ＣＤのＷＤ（ワーキングディスタンス）をある程度確保しなければならず、また、ＤＶＤ有効径はＣＤ有効径よりも大きくなるため、それにより互換レンズの外径が大きくなる傾向がある。これに対しＤＶＤ用、ＣＤ用にそれぞれ専用レンズを用いれば、ＣＤ側ＷＤの制限に関わりなくＤＶＤ用レンズを小さくする事ができる。【０００６】
このように、光ピックアップ装置において、異なる光ディスクに対する「互換」と「コンパクト化」を両立させ、更に好ましい光学性能を得るためには、レンズを並列に並べて一体的に形成した複合光学素子を用いることが考えられる。このような複合光学素子は、個々に成形した２つのレンズを用いる場合に比べて、フランジ部を共通化できるため、レンズ間の間隔を狭められるというメリットがある。また、組み立て調整の簡易化や低コスト化を図ることができるというメリットもある。このような複合光学素子の例としては、特許文献１に記載されたものがある。
【特許文献１】特開平９−１１５１７０号公報
【発明の開示】
【発明が解決しようとする課題】
【０００７】
ところで、一般的に単一レンズを成形する際に、一方の光学面を転写成形する金型と、光軸に沿ってそれに対向する他方の光学面を転写成形する金型とが、光軸と直交方向にずれてしまうという、いわゆるレンズ面シフトが発生する。かかるレンズ面シフトは、製造誤差によって生じるものであるが、それにより単一レンズに３次コマ収差が発生するため、単一レンズを組み付ける際に光軸を傾けて調整することで、３次コマ収差を補正するという手法がとられている。【０００８】
ところが、対物レンズ部を並列に並べて一体的に形成した複合光学素子の場合、２つの対物レンズ部に固有の３次コマ収差が発生するが、光ピックアップ装置への組み付け時に複合光学素子を一体的に傾けなくてはならないため、３次コマ収差の補正量が相互に制限され、最適な補正ができないという問題がある。【０００９】
本発明は、かかる従来技術の問題に鑑みてなされたものであり、複数の光ディスクに対して情報の記録及び／又は再生を適切に行うために、対物レンズ部をそれぞれ有する２つの素子を組み合わせて形成してなる光ピックアップ装置用の光学素子及びそれを用いた光ピックアップ装置並びに光ピックアップ装置の組立方法を提供することを目的とする。
【課題を解決するための手段】
【００１０】
請求の範囲第１項に記載の光学素子は、単一又は複数の光源と、第１の対物レンズ部と第２の対物レンズ部とを一体的に形成した光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっている光ピックアップ装置用の光学素子であって、
以下の条件式を満たすことを特徴とする光学素子。
０．７  ＜  ｛（δＣ１／δβ１）／（δＣ２／δβ２）｝／（Ｃ１／Ｃ２）  ＜  １．３              （１）
但し、（δＣ１／δβ１）は、前記第１の対物レンズ部の傾角感度を表し、（δＣ２／δβ２）は、前記第２の対物レンズ部の傾角感度を表す。Ｃ１は前記第１の対物レンズ部の残留３次コマ収差をいい、Ｃ２は前記第２の対物レンズ部の残留３次コマ収差をいう。【００１１】
ここで、「傾角感度」とは、対物レンズ部が１°傾いた場合に変化する３次コマのＷＦＥλｒｍｓの値をいう。また、図４に示すように、「残留３次コマ収差」とは、主光線ＬＦが、光学素子ＯＥのフランジ部ＦＬの基準面ＳＳに垂直となる光束で測定した時の対物レンズ部ＯＬ１、ＯＬ２のコマ収差をいう。基準面とは、光学素子をボビンに取り付ける際にボビンに接する面である。また、「第１の対物レンズ部及び第２の対物レンズ部を一体的に形成した光学素子」とは、第１の対物レンズ部及び第２の対物レンズ部が融合している場合（例えば、第１の対物レンズ部及び第２の対物レンズ部とを有する光学素子を射出成形などにより得る場合）だけでなく、第１の対物レンズ部を有する光学素子と第２の対物レンズ部を有する光学素子とを別々に成形し、後で接着や嵌合させることなどにより一体化した光学素子も含むものとする。本発明は、特に第１の対物レンズ部及び第２の対物レンズ部が融合している場合（例えば、第１の対物レンズ部及び第２の対物レンズ部とを有する光学素子を射出成形などにより得る場合）、特に効果が顕著である。【００１２】
本発明者は、上述した問題を解決するにあたり、特に、第１の対物レンズ部及び第２の対物レンズ部が融合している場合（例えば、第１の対物レンズ部及び第２の対物レンズ部とを有する光学素子を射出成形などにより得る場合）、第１の対物レンズ部と第２の対物レンズ部とを一体的に形成した光学素子は、金型から同時に成形されるために、２つの対物レンズ部におけるレンズ面シフトの量がほとんど等しくなるという現象に着目した。これを利用して、第１の対物レンズ部と第２の対物レンズ部とをある光学性能を満たすように設計すれば、光学素子全体を同じ角度傾けることによって、２つの対物レンズ部における残留３次コマ収差を適切に補正できることに想い至った。当該思想の下、上記問題を解決するための光学性能を規定したのが本発明である。さらに、第１の対物レンズ部を有する光学素子と第２の対物レンズ部を有する光学素子とを別々に成形し、後で接着や嵌合させることなどにより一体化した光学素子においても、このアイデアを応用できることを見出した。このように第１の対物レンズ部を有する光学素子と第２の対物レンズ部を有する光学素子とを別々に成形し、後で一体化した光学素子の場合には、第１の対物レンズ部の３次コマ収差の方向と第２の対物レンズ部の３次コマ収差の方向とがほとんど同じ方向になるように接着や嵌合などにより一体化させることで、第１対物レンズ部及び第２対物レンズ部を射出成形の一体成形により第１対物レンズ部及び第２対物レンズ部が融合している光学素子と同様に、取り扱うことができる。特に、第１の対物レンズ部の３次コマ収差の方向と第２の対物レンズ部の３次コマ収差の方向とを同じ方向、即ちそれぞれの３次コマ収差の方向がその向きを含めて平行となるように、方向を合わせて一体化することが好ましい。【００１３】
また、このような別々に成形した後に一体化した光学素子を得る際には、第１対物レンズ部を有する光学素子と第２対物レンズ部を有する光学素子とを接着や嵌合などで直接的に一体化しても良いし、間接的に一体化しても良い。間接的に一体化する方法としては、例えば、第１の対物レンズ部を有する光学素子及び第２の対物レンズ部を有する光学素子を支持するための支持部材に、第１の対物レンズ部を有する光学素子と第２の対物レンズ部を有する光学素子とを接着や嵌合などで組み付け、その支持部材を介して２つの光学素子を一体化した光学素子とすることができる。このように支持部材を介して間接的に一体化された光学素子は、光ピックアップ装置への組み付けの際に光ピックアップ装置のボビンに取付けるようにすることができる。【００１４】
より具体的には、｛（δＣ１／δβ１）／（δＣ２／δβ２）｝／（Ｃ１／Ｃ２）の値が略１である場合、第１の対物レンズ部にＡμｍのレンズ面シフトが生じたことにより、所定の方向にＣｍの３次コマ収差が生じ、且つ第２の対物レンズ部にＡμｍのレンズ面シフトが生じたことにより、所定の方向にＣｎ（≠Ｃｍ）の３次コマ収差が生じたとしても、光学素子を角度Ｂで傾けることで、第１の対物レンズ部の３次コマ収差Ｃｍが略ゼロになるようにすれば、同時に第２の対物レンズ部の３次コマ収差Ｃｎも略ゼロになる。即ち、第１の対物レンズ部の傾角感度と残留３次コマ収差の関係と、第２の対物レンズ部の傾角感度と残留３次コマ収差の関係とを、相互に関連づけることで、光ピックアップ装置に組み付けた際に残留３次コマ収差を抑制して、第１の対物レンズ部と第２の対物レンズ部とにより最適な集光スポットを光情報記録媒体の情報記録面に形成できるのである。尚、｛（δＣ１／δβ１）／（δＣ２／δβ２）｝／（Ｃ１／Ｃ２）は必ずしも１に限る必要はなく、上記条件式（１）を満たすことにより、３次コマ収差を抑制する事が可能となる。【００１５】
本発明においては、対象とする光情報記録媒体のＮＡが大きい方又は使用波長の短い方を、第１の対物レンズ部とすることが好ましい。又、本発明は、一つの対物レンズ部が或る波長を用いる光情報記録媒体一種のみに対応する場合（対物レンズ部を専用レンズとする場合）だけでなく、一つの対物レンズ部が異なる波長を用いる複数の種類の光情報記録媒体に対応する場合（対物レンズ部を互換レンズとする場合）にも適用される。尚、対物レンズ部が、互換レンズである場合、最も波長の短い光束を用いる光情報記録媒体に使用する際の条件が、本発明の条件式（１）を満たすことが好ましい。又、第１対物レンズ部及び第２対物レンズ部は、共に、非球面レンズ又は回折構造などの光路差付与構造を有する非球面レンズである事が好ましい。尚、これら第１の対物レンズ部と第２の対物レンズ部とは、それぞれの光軸が異なるように並列的に配置されているものである。【００１６】
また、本発明は、第１対物レンズ部と第２対物レンズ部の２つの対物レンズ部のみを有する光学素子に限られず、３つの対物レンズ部や、４つの対物レンズ部など、３つ以上の対物レンズ部を有する光学素子にも適用可能である。ｎ個（ｎ≧３）の対物レンズ部を有する場合、対象とする光情報記録媒体のＮＡが最も大きいもの又は使用波長の最も短いものを、第１の対物レンズ部とし、対象とする光情報記録媒体のＮＡが最も小さいもの又は使用波長の最も長いものを第ｎの対物レンズ部とし、第１の対物レンズ部と残りの対物レンズ部のそれぞれの関係において、条件式（１）を満たすようにする事が好ましい。即ち、３つの対物レンズ部を有する場合、第１の対物レンズ部と第２の対物レンズ部の間だけでなく、第１の対物レンズ部と第３の対物レンズ部においても、条件式（１）を満たすようにする事が好ましい。（第１の対物レンズ部と第３の対物レンズ部を比較する場合、第３の対物レンズ部の傾角感度が（δＣ２／δβ２）であり、第３の対物レンズ部の残留３次コマ収差がＣ２である。）
また、３つ以上の対物レンズ部を有する場合、光学素子を光軸方向から見た際に、各対物レンズ部の光軸を結んだ線が一直線になる事が好ましいが、それに限られない。【００１７】
請求の範囲第２項に記載の光学素子は、請求の範囲第１項に記載の発明において、以下の式を満たすことを特徴とする。
０．９  ＜  ｛（δＣ１／δβ１）／（δＣ２／δβ２）｝／（Ｃ１／Ｃ２）  ＜  １．１              （１’）
請求の範囲第３項に記載の光学素子は、請求の範囲第１項に記載の発明において、以下の式を満たすことを特徴とする。
０．９５  ＜  ｛（δＣ１／δβ１）／（δＣ２／δβ２）｝／（Ｃ１／Ｃ２）  ＜  １．０５            （１”）
請求の範囲第４項に記載の光学素子は、請求の範囲第１項〜第３項のいずれか一項に記載の発明において、以下の式を満たすことを特徴とする。
０．９  ＜  ｛（δＣ１／δβ１）／（δＣ２／δβ２）｝／  ｛（δＣ１／δＳ１）／（δＣ２／δＳ２）｝  ＜  １．１        （２）
但し、（δＣ１／δＳ１）は、前記第１の対物レンズ部の面シフト誤差感度を表し、（δＣ２／δＳ２）は、前記第２の対物レンズ部の面シフト誤差感度を表す。
上記条件式（２）を満たすことにより、第１の対物レンズ部及び第２の対物レンズ部共に、３次コマ収差を１０ｍλｒｍｓ以内に抑制することが可能となる。【００１８】
ここで、「面シフト誤差感度」とは、対物レンズ部の第１の光学面の頂点と、第１の光学面に対向する第２の光学面の頂点とが光軸と直交方向に１μｍずれた場合に変化する３次コマのＷＦＥλｒｍｓの値をいう。より具体的には、｛（δＣ１／δβ１）／（δＣ２／δβ２）｝／（Ｃ１／Ｃ２）の値が略１である場合、第１の対物レンズ部にＡμｍのレンズ面シフトが生じたことにより、所定の方向にＣｍの３次コマ収差が生じ、且つ第２の対物レンズ部にＡμｍのレンズ面シフトが生じたことにより、所定の方向にＣｎ（≠Ｃｍ）の３次コマ収差が生じたとしても、光学素子を角度Ｂで傾けることで、第１の対物レンズ部の３次コマ収差Ｃｍがゼロになるようにすれば、同時に第２の対物レンズ部の３次コマ収差Ｃｎもゼロになる。即ち、第１の対物レンズ部の傾角感度と面シフト誤差感度の関係と、第２の対物レンズ部の傾角感度と面シフト感度の関係とを、相互に関連づけることで、光ピックアップ装置に組み付けた際に残留３次コマ収差を抑制して、第１の対物レンズ部と第２の対物レンズ部とにより最適な集光スポットを光情報記録媒体の情報記録面に形成できるのである。尚、｛（δＣ１／δβ１）／（δＣ２／δβ２）｝／（Ｃ１／Ｃ２）は必ずしも１に限る必要はなく、上記条件式（１）を満たすことにより、第１の対物レンズ部及び第２の対物レンズ部共に、３次コマ収差を１０ｍλｒｍｓ以内に抑制することが可能となる。【００１９】
請求の範囲第５項に記載の光学素子は、請求の範囲第４項に記載の発明において、以下の式を満たすことを特徴とする。
０．９５  ＜  ｛（δＣ１／δβ１）／（δＣ２／δβ２）｝／  ｛（δＣ１／δＳ１）／（δＣ２／δＳ２）｝  ＜  １．０５        （２’）
上記条件式（２’）を満たすことにより、第１の対物レンズ部及び第２の対物レンズ部共に、３次コマ収差を６ｍλｒｍｓ以内に抑制することが可能となる。【００２０】
請求の範囲第６項に記載の光学素子は、請求の範囲第１項〜第５項のいずれか一項に記載の発明において、前記第１の対物レンズ部の残留３次コマ収差の向きと、前記第２の対物レンズ部の残留３次コマ収差の向きとの差は９０度以内であることを特徴とするので、光学素子を所定の方向に傾けることで、前記第１の対物レンズ部の残留３次コマ収差と、前記第２の対物レンズ部の残留３次コマ収差とを効率的に補正できる。尚、前記第２の対物レンズ部の残留３次コマ収差の向きとの差は６０度以内であると、より好ましく、４５度以内であると更に好ましい。【００２１】
ここで、残留３次コマ収差の向きについて説明する。図１（ａ）は、第１対物レンズ部ＯＢＪ１と第２対物レンズ部ＯＢＪ２とを有する光学素子ＯＥを光軸方向から見た図である。この平面図上において、ここでは、第１対物レンズ部ＯＢＪ１の光軸Ｌ１と第２対物レンズ部ＯＢＪ２の光軸Ｌ２とを通る直線をＸ軸とし、光軸Ｌ１を通りＸ軸に直交する方向をＹ１軸とし、光軸Ｌ２を通りＸ軸に直交する方向をＹ２軸とする。図１（ｂ）、（ｃ）、（ｄ）は、図１（ａ）に示す第１対物レンズ部ＯＢＪ１と第２対物レンズ部ＯＢＪ２により集光されたスポット像の例を示す図であり、図１（ａ）と同様に座標軸を決めている。Ｘ軸とＹ軸とは前述のように定めてもよいし、樹脂を注入するゲートの位置や所定のマークの位置を基準にＸ軸とＹ軸とを定めてもよい。最も好ましくは、第１対物レンズ部の光軸と第２対物レンズ部の光軸を結んだ線をＸ軸とすることである。【００２２】
第１対物レンズ部ＯＢＪ１と第２対物レンズ部ＯＢＪ２とが残留３次コマ収差を有する場合、図１（ｂ）、（ｃ）、（ｄ）に示すように、それぞれ集光スポットＳＰ１、ＳＰ２の周囲に形成される１次回折リングＤＲ１、ＤＲ２の強度に偏りが生じる。この１次回折リングＤＲ１、ＤＲ２の偏り方向（光軸から１次回折リングの中央に向かう方向）を、残留３次コマ収差の向きとする。ここで、Ｙ１軸、Ｙ２軸の方向を基準とし右回りを正とすると、図１（ｂ）の例では、第１対物レンズ部ＯＢＪ１及び第２対物レンズ部ＯＢＪ２共に、残留３次コマ収差の向きは０°の方向である。図１（ｃ）の例では、第１対物レンズ部ＯＢＪ１の残留３次コマ収差の向きは３１５°の方向であり、第２対物レンズ部ＯＢＪ２の残留３次コマ収差の向きは０°の方向である。図１（ｄ）の例では、第１対物レンズ部ＯＢＪ１の残留３次コマ収差の向きは１３５°の方向であり、第２対物レンズ部ＯＢＪ２の残留３次コマ収差の向きは２７０°の方向である。【００２３】
また、第１対物レンズ部ＯＢＪ１又は第２対物レンズ部ＯＢＪ２が複数種の光ディスクに対して情報の記録および／または再生に使用されるもの（いわゆる互換レンズ）であって、その情報の記録および／または再生の際に光ディスクの種類によって波長が異なる光束が使用される場合には、その最も短い波長の光束に対する残留３次コマ収差の向きを、当該対物レンズ部においては「残留３次コマ収差の向き」として定義する。【００２４】
請求の範囲第７項に記載の光学素子は、請求の範囲第１項〜第５項のいずれか一項に記載の発明において、前記第１の対物レンズ部の残留３次コマ収差の向きと、前記第２の対物レンズ部の残留３次コマ収差の向きとが略同一であることを特徴とする。【００２５】
ここで、「略同一である」とは、第１の対物レンズ部の残留３次コマ収差の向きと、前記第２の対物レンズ部の残留３次コマ収差の向きとの差が２０°以内である場合をいう。略同一の方向が、光学素子を製造する際に樹脂が注入されるゲート部の方向となるようにしても良いし、光学素子のフランジ部にマーク、凸部又は凹部等の目印を付け、その目印の方向となるようにしてもよい。【００２６】
更に、光学素子が、第１の対物レンズ部を有する光学素子と第２の対物レンズ部を有する光学素子とを別々に成形し、後で接着や嵌合させることなどにより一体化した光学素子である場合、第１の対物レンズ部の残留３次コマ収差の向きと、前記第２の対物レンズ部の残留３次コマ収差の向きとが略同一となるように光学素子を組み立てることが好ましい。【００２７】
請求の範囲第８項に記載の光学素子は、請求の範囲第７項に記載の発明において、前記第１の対物レンズ部の残留３次コマ収差の向きと、前記第２の対物レンズ部の残留３次コマ収差の向きが、前記光学素子を光軸方向から見た際に、前記第１の対物レンズ部の光軸と前記第２の対物レンズ部の光軸とを結んだ線に直交する方向であることを特徴とする。例えば、図１（ｂ）に示すような場合である。この場合、簡易な機構で光学素子を傾けて３次コマ収差をピックアップで補正する事が可能となり、またワーキングディスタンスに与える影響も小さいため、特に好ましい。【００２８】
請求の範囲第９項に記載の光学素子は、請求の範囲第１項〜第８項のいずれか一項に記載の発明において、前記第１の対物レンズ部の残留３次コマ収差と、前記第２の対物レンズ部の残留３次コマ収差とは、共に０．０５ＷＦＥλｒｍｓ以下であることを特徴とする。【００２９】
請求の範囲第１０項に記載の光学素子は、請求の範囲第１項〜第９項のいずれか一項に記載の発明において、前記第１の対物レンズ部の有効径と、前記第２の対物レンズ部の有効径とは略等しいことを特徴とする。【００３０】
ここで、「略等しい」とは、一方の対物レンズ部の有効径に対し、他方の対物レンズ部の有効径が０．８〜１．２倍の範囲をいう。【００３１】
請求の範囲第１１項に記載の光ピックアップ装置は、単一又は複数の光源と、請求の範囲第１項〜第１０項のいずれか一項に記載された光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっていることを特徴とする。本発明の作用効果は請求の範囲第１項に記載の発明と同様である。【００３２】
請求の範囲第１２項に記載の光ピックアップ装置は、請求の範囲第１１項に記載の発明において、前記第１の対物レンズ部の残留３次コマ収差の向きと、前記第２の対物レンズ部の残留３次コマ収差の向きとの略中間の方向に、前記光学素子を傾けることによって残留３次コマ収差を補正していることを特徴とする。【００３３】
ここで、「略中間の方向」とは、第１の対物レンズ部の残留３次コマ収差の向きと、第２の対物レンズ部の残留３次コマ収差の向きとのなす角度をθとしたとき、該θの二等分線を中心に、±θ／５以内の方向をいう。例えば、残留３次コマ収差の向きが図１（ｃ）に示す状態である場合は、光学素子を、３３７．５°の方向に傾けることにより、第１対物レンズ部ＯＢＪ１及び第２対物レンズ部ＯＢＪ２の両方の残留３次コマ収差を一度に補正する事ができる。【００３４】
請求の範囲第１３項に記載の光ピックアップ装置は、請求の範囲第１１項に記載の発明において、前記第１の対物レンズ部の残留３次コマ収差の向きと、前記第２の対物レンズ部の残留３次コマ収差の向きとが略同一であり、前記第１の対物レンズ部の残留３次コマ収差の向きに、前記光学素子を傾けることによって残留３次コマ収差を補正していることを特徴とする。【００３５】
ここで、「略同一である」とは、第１の対物レンズ部の残留３次コマ収差の向きと、前記第２の対物レンズ部の残留３次コマ収差の向きとの差が２０°以内である場合をいう。【００３６】
例えば、残留３次コマ収差の向きが図１（ｂ）に示す状態である場合、即ち、第１の対物レンズ部の残留３次コマ収差の向きと、第２の対物レンズ部の残留３次コマ収差の向きとが同一である場合、光学素子を、Ｘ軸を中心軸として傾ける、即ち、残留３次コマ収差の向きに傾けることにより、第１対物レンズ部ＯＢＪ１及び第２対物レンズ部ＯＢＪ２の両方の残留３次コマ収差を一度に補正する事ができる。この例のように、２つの対物レンズ部の残留３次コマ収差の向きが、光学素子を光軸方向から見た際に、第１の対物レンズ部の光軸と第２の対物レンズ部の光軸とを結んだ線に直交する方向である場合、簡易な機構で光学素子を傾けることが可能となり、また、ワーキングディスタンスに与える影響も小さいため特に好ましい。【００３７】
請求の範囲第１４項に記載の光ピックアップ装置の組立方法は、単一又は複数の光源と、第１の対物レンズ部と第２の対物レンズ部とを一体的に形成した光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっている光ピックアップ装置の組立方法において、
以下の条件式を満たす光学素子を、前記第１の対物レンズ部と前記第２の対物レンズ部の残留３次コマ収差が、それぞれ所定値以内になるように、前記光源から照射される光束の中心軸に対して傾けて配置することを特徴とする光ピックアップ装置の組立方法。
０．７  ＜  ｛（δＣ１／δβ１）／（δＣ２／δβ２）｝／（Ｃ１／Ｃ２）  ＜  １．３              （１）
但し、（δＣ１／δβ１）は、前記第１の対物レンズ部の傾角感度を表し、（δＣ２／δβ２）は、前記第２の対物レンズ部の傾角感度を表す。Ｃ１は前記第１の対物レンズ部の残留３次コマ収差をいい、Ｃ２は前記第２の対物レンズ部の残留３次コマ収差をいう。【００３８】
条件式（１）を満たす光学素子であれば、光ピックアップ装置に組み付ける際に、前記光源から照射される光束の中心軸に対して傾けて配置することで、前記第１の対物レンズ部と前記第２の対物レンズ部の残留３次コマ収差が、それぞれ所定値（例えば、０．０２λｒｍｓ）以内になるように設定できる。【００３９】
請求の範囲第１５項に記載の光学素子は、単一又は複数の光源と、第１の対物レンズ部と第２の対物レンズ部とを一体的に形成した光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっている光ピックアップ装置用の光学素子であって、
以下の条件式を満たすことを特徴とする光学素子。
０．７  ＜  ｛（δＣ１／δβ１）／（δＣ２／δβ２）｝／（ＣＹ１／ＣＹ２）  ＜  １．３              （１’’’）
但し、（δＣ１／δβ１）は、前記第１の対物レンズ部の傾角感度を表し、（δＣ２／δβ２）は、前記第２の対物レンズ部の傾角感度を表す。ＣＹ１は前記第１の対物レンズ部の残留３次コマ収差における所定の方向での残留３次コマ収差の成分をいい、ＣＹ２は前記第２の対物レンズ部の残留３次コマ収差における所定の方向での残留３次コマ収差の成分をいう。【００４０】
条件式（１’’’）を満たす光学素子であれば、光ピックアップ装置に組み付ける際に、前記光源から照射される光束の中心軸に対して傾けて配置することで、前記第１の対物レンズ部と前記第２の対物レンズ部の残留３次コマ収差における所定の方向での残留３次コマ収差の成分が、それぞれ所定値以内になるように設定できる。条件式（１）を満たした上で、条件式（１’’’）を満たすことが好ましいが、条件式（１’’’）のみを満たすようにしてもよい。【００４１】
ここで、「残留３次コマ収差における所定の方向での残留３次コマ収差の成分」について説明する。図１（ｃ）を参照すると、集光スポットＳＰ１の周囲に形成される１次回折リングＤＲ１の偏り方向は、Ｙ１軸に対して角度θだけ傾いている。従って、残留３次コマ収差の値をＤＲ１ｏすると、Ｙ１軸に沿った方向の残留３次コマ収差の成分は、ＤＲ１ｏ・ｃｏｓθとなり、Ｘ軸に沿った方向の残留３次コマ収差の成分は、ＤＲ１ｏ・ｓｉｎθとなる。これに対し、集光スポットＳＰ２の周囲に形成される１次回折リングＤＲ２の偏り方向は、Ｙ２軸に一致するので、Ｙ２軸に沿った方向の残留３次コマ収差の成分は、ＤＲ２ｏであり、Ｘ軸に沿った方向の残留３次コマ収差の成分は０である。かかる例では、光学素子ＯＥをＸ軸回りに一体的に傾けることで、Ｙ１，Ｙ２軸方向の残留３次コマ収差の成分を減少させることができる。【００４２】
尚、Ｘ軸とＹ軸（Ｙ１，Ｙ２軸）は任意に設定する事が可能であるが、光学素子を光軸方向から見た際に、第１の対物レンズ部の光軸と第２の対物レンズ部の光軸とを結んだ線に平行な線と、線に直交する線とをＸ軸とＹ軸とする事が好ましい。【００４３】
更に、光学素子が、第１の対物レンズ部を有する光学素子と第２の対物レンズ部を有する光学素子とを別々に成形し、後で接着や嵌合させることなどにより一体化した光学素子である場合、後で嵌合する方の対物レンズ部の残留３次コマ収差の向きが、光学素子を光軸方向から見た際に、第１の対物レンズ部の光軸と第２の対物レンズ部の光軸とを結んだ線に直交する方向となるように対物レンズ部を嵌合する事が好ましい。【００４４】
請求の範囲第１６項に記載の光学素子は、請求の範囲第１５項に記載の発明において、前記所定の方向が、前記光学素子を光軸方向から見た際に、前記第１の対物レンズ部の光軸と前記第２の対物レンズ部の光軸とを結んだ線に平行な方向か、前記第１の対物レンズ部の光軸と前記第２の対物レンズ部の光軸とを結んだ線に直交する方向であることを特徴とする。【００４５】
請求の範囲第１７項に記載の光学素子は、請求の範囲第１６項に記載の発明において、前記所定の方向が、前記光学素子を光軸方向から見た際に、前記第１の対物レンズ部の光軸と前記第２の対物レンズ部の光軸とを結んだ線に直交する方向であることを特徴とする。【００４６】
請求の範囲第１８項に記載の光ピックアップ装置は、単一又は複数の光源と、請求の範囲第１５項に記載された光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっていることを特徴とする。【００４７】
請求の範囲第１９項に記載の光ピックアップ装置は、請求の範囲第１８項に記載の発明において、前記所定の方向に、前記光学素子を傾けることによって残留３次コマ収差を補正していることを特徴とする。【００４８】
請求の範囲第２０項に記載の光学素子は、単一又は複数の光源と、第１の対物レンズ部と第２の対物レンズ部とを一体的に形成した光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっている光ピックアップ装置用の光学素子であって、
以下の条件式を満たすことを特徴とする。
０．９  ＜  ｛（δＣ１／δβ１）／（δＣ２／δβ２）｝／  ｛（δＣ１／δＳ１）／（δＣ２／δＳ２）｝  ＜  １．１        （２）
但し、（δＣ１／δβ１）は、前記第１の対物レンズ部の傾角感度を表し、（δＣ２／δβ２）は、前記第２の対物レンズ部の傾角感度を表す。（δＣ１／δＳ１）は、前記第１の対物レンズ部の面シフト誤差感度を表し、（δＣ２／δＳ２）は、前記第２の対物レンズ部の面シフト誤差感度を表す。【００４９】
請求の範囲第２１項に記載の光ピックアップ装置は、単一又は複数の光源と、請求の範囲第２０項に記載された光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっていることを特徴とする。【００５０】
請求の範囲第２２項に記載の光学素子は、請求の範囲第１項〜第１０項、第１５項〜第１７項及び第２０項のいずれか一項に記載の発明において、前記第１の対物レンズ部と前記第２の対物レンズ部が融合して形成されていることを特徴とする。【００５１】
請求の範囲第２３項に記載の光ピックアップ装置は、請求の範囲第１１項〜第１３項、第１８項、第１９項及び第２１項のいずれか一項に記載の発明において、前記光学素子は、前記第１の対物レンズ部と前記第２の対物レンズ部が融合して形成されていることを特徴とする。
請求の範囲第２４項に記載の光ピックアップ装置の組立方法は、請求の範囲第１４項に記載の発明において、前記光学素子は、前記第１の対物レンズ部と前記第２の対物レンズ部が融合して形成されていることを特徴とする。
【発明の効果】
【００５２】
本発明によれば、複数の光ディスクに対して互換可能に情報の記録及び／又は再生を適切に行うために、２つの対物レンズ部を組み合わせて形成してなる光ピックアップ装置用の光学素子及びそれを用いた光ピックアップ装置並びに光ピックアップ装置の組立方法を提供することができる。
【図面の簡単な説明】
【００５３】
【図１】図１（ａ）は、第１対物レンズ部ＯＢＪ１と第２対物レンズ部ＯＢＪ２とを有する光学素子ＯＥを集光スポット側から見た図であり、図１（ｂ）、（ｃ）、（ｄ）は、図１（ａ）に示す第１対物レンズ部ＯＢＪ１と第２対物レンズ部ＯＢＪ２により集光されたスポット像を示す図である。
【図２】ＢＤ及びＨＤに対して情報の記録及び／又は再生を行える光ピックアップ装置の概略断面図である。
【図３】縦軸にレンズ傾角感度、横軸にレンズ面シフト誤差感度をとり、表１に示す対物レンズ部の各仕様についてプロットした図である。
【図４】光学素子ＯＥを光ピックアップ装置に搭載された状態で光軸直交方向に見た図である。
【符号の説明】
【００５４】
ＡＣＴ  アクチュエータ
ＡＣＴＢ  アクチュエータベース
ＢＳ  ビームシェイパ
ＣＬ１  コリメートレンズ
ＥＸＰ  エキスパンダーレンズ
Ｇ  回折格子
ＬＤ１  半導体レーザ
ＬＨＤ  レンズホルダ
ＯＢＪ１  第１の対物レンズ部
ＯＢＪ２  第２の対物レンズ部
ＯＥ  光学素子
ＰＢＳ  偏光ビームスプリッタ
ＰＤ  光検出器
ＱＷＰ  λ／４波長板
ＳＬ  センサレンズ
【発明を実施するための最良の形態】
【００５５】
以下、図面を参照して、本発明の実施の形態を詳細に説明する。図２は、ＢＤ（第１光情報記録媒体ともいう）、及びＨＤ（第２光情報記録媒体ともいう）に対して情報の記録及び／又は再生を行える光ピックアップ装置の概略断面図である。【００５６】
光学素子ＯＥは、第１の対物レンズ部ＯＢＪ１と第２の対物レンズ部ＯＢＪ２とを一体的に形成してなり、以下の条件式を満たしている。
０．７  ＜  ｛（δＣ１／δβ１）／（δＣ２／δβ２）｝／（Ｃ１／Ｃ２）  ＜  １．３              （１）
０．９  ＜  ｛（δＣ１／δβ１）／（δＣ２／δβ２）｝／  ｛（δＣ１／δＳ１）／（δＣ２／δＳ２）｝  ＜  １．１        （２）
光学素子ＯＥは、第１の対物レンズ部ＯＢＪ１と第２の対物レンズ部ＯＢＪ２の残留３次コマ収差が所定値以下となるように、レンズホルダＬＨＤに対して所定の傾きで組み付けられる。より具体的には、図１（ｂ）のようにＹ１，Ｙ２軸方向に３次コマ収差が発生しているときは、Ｘ軸回りに光学素子ＯＥを傾けて、第１の対物レンズ部ＯＢＪ１と第２の対物レンズ部ＯＢＪ２の残留３次コマ収差が最低レベルになるようにする。又、図１（ｃ）のようにＹ１又はＹ２軸以外の方向に３次コマ収差が発生しているときは、２つの対物レンズ部ＯＢＪ１，ＯＢＪ２の３次コマ収差の方向の中間の方向に光学素子ＯＥを傾けて、双方の残留３次コマ収差の平均が最低レベルになるようにする。尚、図１（ｃ）の場合、対物レンズ部ＯＢＪ１のＹ１軸方向の成分（ＤＲ１ｏ・ｃｏｓθ）と、対物レンズ部ＯＢＪ１のＹ２軸方向の成分（ＤＲ２ｏ）を比較考慮して、これらが最低レベルになるようにＸ軸回りに光学素子ＯＥを傾けてもよい。【００５７】
レンズホルダＬＨＤは、アクチュエータＡＣＴにより少なくとも２次元的に可動に支持されている。アクチュエータＡＣＴは、光ピックアップ装置のフレーム（不図示）に対して位置調整可能に取り付けられたアクチュエータべースＡＣＴＢを有している。対物レンズ部を支持するレンズホルダＬＨＤは、支持する２つの対物レンズの両光軸の中間点でそれらと略平行に延在する軸線回りに回転可能となっており、ＢＤに対して情報の記録及び／又は再生を行う場合、図２に示すように、第１の対物レンズ部ＯＢＪ１にλ／４波長板ＱＷＰを通過した光束が入射する位置へと回転し、ＨＤに対して情報の記録及び／又は再生を行う場合、第２の対物レンズ部ＯＢＪ２にλ／４波長板ＱＷＰを通過した光束が入射する位置へと回転するようになっている。【００５８】
ＢＤに対して情報の記録及び／又は再生を行う場合、レンズホルダＬＨＤを図２に示す位置へと回転移動させる。図２において、第１の光源としての半導体レーザＬＤ１（波長λ１＝３５０ｎｍ〜４４０ｎｍ）から出射された光束は、ビームシェイパＢＳを通過することで光束の形状を補正された上で、コリメートレンズＣＬ１に入射する。コリメートレンズＣＬ１から出射した光束は、光源から出射した光束を記録及び／又は再生用のメインビームとトラッキングエラー信号検出用のサブビームに分離するための光学手段である回折格子Ｇを通過し、更に偏光ビームスプリッタＰＢＳ及びエキスパンダーレンズＥＸＰを通過する。【００５９】
エキスパンダーレンズＥＸＰを通過した光束は、λ／４波長板ＱＷＰを通過して、第１の対物レンズ部ＯＢＪ１により集光されて、ＢＤの保護層（厚さｔ１＝０．０３〜０．１３ｍｍ）を介してその情報記録面に集光されここに集光スポットを形成する。【００６０】
そして情報記録面で情報ピットにより変調されて反射した光束は、再び第１の対物レンズ部ＯＢＪ１、λ／４波長板ＱＷＰ、エキスパンダーレンズＥＸＰを通過して、偏光ビームスプリッタＰＢＳで反射され、更にセンサレンズＳＬを介して光検出器ＰＤの受光面に入射するので、その出力信号を用いて、ＢＤに対して、情報の記録及び／又は再生を行う。【００６１】
また、光検出器ＰＤ上でのスポットの形状変化、位置変化による光量変化を検出して、合焦検出やトラック検出を行う。この検出に基づいて、半導体レーザＬＤ１からの光束をＢＤの情報記録面上に結像するように、第１の対物レンズ部ＯＢＪ１をレンズホルダＬＨＤごと移動させるように、アクチュエータＡＣＴを駆動する。【００６２】
ＨＤに対して情報の記録及び／又は再生を行う場合、レンズホルダＬＨＤを図２に示す位置から回転移動させる。半導体レーザＬＤ１から出射された光束は、ビームシェイパＢＳを通過することで光束の形状を補正された上で、コリメートレンズＣＬ１に入射する。コリメートレンズＣＬ１から出射した光束は、光源から出射した光束を記録及び／又は再生用のメインビームとトラッキングエラー信号検出用のサブビームに分離するための光学手段である回折格子Ｇを通過し、更に偏光ビームスプリッタＰＢＳ及びエキスパンダーレンズＥＸＰを通過する。【００６３】
エキスパンダーレンズＥＸＰを通過した光束は、λ／４波長板ＱＷＰを通過して、回折構造を有する第２の対物レンズ部ＯＢＪ２により集光されて、ＨＤの保護層（厚さｔ２＝０．５〜０．８ｍｍ）を介してその情報記録面に集光されここに集光スポットを形成する。【００６４】
そして情報記録面で情報ピットにより変調されて反射した光束は、再び第２の対物レンズ部ＯＢＪ２、λ／４波長板ＱＷＰ、エキスパンダーレンズＥＸＰを通過して、偏光ビームスプリッタＰＢＳで反射され、更にセンサレンズＳＬを介して光検出器ＰＤの受光面に入射するので、その出力信号を用いて、ＨＤに対して、情報の記録及び／又は再生を行う。【００６５】
また、光検出器ＰＤ上でのスポットの形状変化、位置変化による光量変化を検出して、合焦検出やトラック検出を行う。この検出に基づいて、第２半導体レーザＬＤ２からの光束をＨＤの情報記録面上に結像するように、第２の対物レンズ部ＯＢＪ２をレンズホルダＬＨＤごと移動させるように、アクチュエータＡＣＴを駆動する。【００６６】
以上の例では、第１の対物レンズ部ＯＢＪ１がＢＤ専用であり、第２の対物レンズ部ＯＢＪ２がＨＤ専用であるが、かかる組み合わせに限られない。第１の対物レンズ部ＯＢＪを用いる光ディスク、第２の対物レンズ部ＯＢＪ２を用いる光ディスクの組み合わせとしては、例えば（ＢＤ、ＤＶＤ）、（ＢＤ、ＣＤ）、（ＨＤ、ＤＶＤ）、（ＨＤ、ＣＤ）、（ＤＶＤ、ＣＤ）などが考えられる。更に、第１の対物レンズ部ＯＢＪ１と第２の対物レンズ部ＯＢＪ２の少なくとも一方を、互換レンズとすることもできる。例えば、第１の対物レンズ部ＯＢＪ１をＢＤ専用とし、第２の対物レンズ部ＯＢＪ２を、光路差付与構造を有するＨＤ／ＤＶＤ／ＣＤの互換レンズとしても良い。なお、この場合、第２の対物レンズ部ＯＢＪ２は、少なくとも最も短波長の光束を用いる光情報記録媒体であるＨＤの使用時の条件において、条件式（１）を満たすことが好ましい。【００６７】
以下、本発明の実施例について述べる。表１に、有効径φ１．５ｍｍの対物レンズ部について、ＢＤ用、ＨＤ用、ＤＶＤ用、ＣＤ用のレンズデータと、有効径φ２．０ｍｍの対物レンズ部について、ＢＤ用、ＨＤ用、ＤＶＤ用、ＣＤ用のレンズデータを示す。なお、この実施例では面シフト誤差感度に面シフト量を乗じた値が残留３次コマ収差に等しいとしている。また、この実施例では、第１対物レンズ部と第２対物レンズ部で面シフト量が等しいものとしている。従って、第１の対物レンズ部と第２の対物レンズ部が射出成形などにより融合している場合は、本実施例に該当する。また、第１の対物レンズ部と第２の対物レンズ部を、面シフト量が同量になるように別々に成形し、さらに、第１の対物レンズ部と第２の対物レンズ部の面シフトの方向が同一方向になるように一体化する場合も該当する。【００６８】
【表１】
2008093510.tif 000003
【００６９】
図３は、縦軸に傾角感度、横軸に面シフト誤差感度をとり、表１に示す対物レンズ部の各仕様についてプロットした図である。図３において、原点（０，０）から延在する各点線上又は近接する位置にプロットされる２つの対物レンズを第１、第２の対物レンズ部として選ぶ事により、上記（１）、（２）式を満たすレンズの組み合わせを得る事が可能となり、一体の光学素子で用いることによって本発明の効果が得られる。可能な組み合わせを表２に示す。【００７０】
【表２】
2008093510.tif 000004
【００７１】
表２において、例えばＢＤ用の対物レンズ部と、ＨＤ用の対物レンズ部を組み合わせた光学素子の場合、対物レンズ部ＢＤ２は対物レンズ部ＨＤ３又はＨＤ５と組み合わせると好ましく、対物レンズ部ＢＤ３は対物レンズ部ＨＤ２と組み合わせると好ましく、対物レンズ部ＢＤ６は対物レンズ部ＨＤ４と組み合わせると好ましい。表２に示すその他の対物レンズ部の組み合わせも同様である。【００７２】
また、図３において、原点（０，０）から延在する各点線上又は近接する位置にプロットされる３つ又は４つの対物レンズを、第１、第２、第３又は第４の対物レンズ部として選ぶ事により、３つ又は４つの対物レンズ部を有する光学素子であって、上記（１）、（２）式を満たす光学素子を得る事も可能である。例えば、３つの対物レンズ部を有する光学素子としては、対物レンズ部ＢＤ２、対物レンズ部ＤＶＤ１、対物レンズ部ＣＤ３を有する光学素子、対物レンズ部ＢＤ３、対物レンズ部ＤＶＤ２、対物レンズ部ＣＤ５を有する光学素子、対物レンズ部ＢＤ６、対物レンズ部ＤＶＤ４、対物レンズ部ＣＤ６を有する光学素子などが挙げられる。また、４つの対物レンズ部を有する光学素子としては、対物レンズ部ＢＤ２、対物レンズ部ＨＤ３、対物レンズ部ＤＶＤ１、対物レンズ部ＣＤ３を有する光学素子、対物レンズ部ＢＤ６、対物レンズ部ＨＤ４、対物レンズ部ＤＶＤ４、対物レンズ部ＣＤ６を有する光学素子などが挙げられる。【００７３】
以上、本発明を実施の形態を参照して説明してきたが、本発明は上記実施の形態に限定して解釈されるべきではなく、適宜変更や改良が可能であることはもちろんである。
【図２】
2008093510.tif 000005
【図１】
2008093510.tif 000006
【図３】
2008093510.tif 000007
【図４】
2008093510.tif 000008
【国際調査報告】
2008093510.tif 000009
2008093510.tif 000010
2008093510.tif 000011
2008093510.tif 000012